(57)【要約】      （修正有）【課題】外周壁に配設された止水板と仕切壁に配設された止水板の交差部位において、仕切壁に配設される止水板が一枚であっても完全に止水することができ、壁幅の狭い仕切壁のコンクリート構造物にも適用することのできるコンクリート構造物のＴ字状部打継用止水板構造を提供する。【解決手段】Ｔ字状部止水板継手１０は、既設コンクリート構造物１の外周壁１Ａに添着板部１０Ａを外側として装着される外周辺止水板１１に、仕切壁１Ｂに装着される仕切辺止水板１２が一体に交差結合しており、その交差部位では、屈曲部１０Ｂが添着板部１０Ａから離間して両者の間は嵩上げ板部１０Ｆによって連続し、仕切辺止水板１２の添着板部１０Ａは外周辺止水板１１の屈曲部１０Ｂの下側を通って外周辺止水板１１の嵩上げ板部１０Ｆに結合している。添着板部１０Ａを押圧して当該Ｔ字状部止水板継手１０を既設コンクリート構造物１に装着する押さえ板２１は、外周辺止水板１１の嵩上げ板部１０Ｆを挟んで隣接する。【選択図】図１−２
2005120666.tif 000002
【特許請求の範囲】
【請求項１】
Ｌ字状断面の一辺を成す添着板部に他辺を成す埋設板部がＵ字状断面の屈曲部を介して連結されると共に前記屈曲部の開放側が前記埋設板部から延長された閉塞板部によって閉塞されて成り、既設コンクリート構造物の打ち継ぎ端面に前記添着板部が押さえ板部材によって押圧装着され、既設コンクリート構造物に新設コンクリート構造物を打継ぐ際に両者間に介設される止水板において、コンクリート構造物の外周壁と内部を仕切る仕切壁とが交差するＴ字状部位の構造であって、
添着板部を外周側に向けて前記コンクリート構造物の外周壁に配設される外周辺止水板に、前記仕切壁に配設される仕切辺止水板がＴ字状に交差結合し、少なくともその結合部の近傍では前記屈曲部が前記添着板部から嵩上げ板部を介して前記添着板部から所定高さに離間して前記仕切辺止水板の添着板部が前記外周辺止水板の嵩上げ板部に結合しており、前記外周辺止水板の添着板部を押圧する押さえ板部材と前記仕切辺止水板の添着板部を押圧する押さえ板部材が前記外周辺止水板の嵩上げ板部を挟んで隣接して位置し得るように構成されていることを特徴とするコンクリート構造物のＴ字状部打継用止水板構造。
【請求項２】
Ｌ字状断面の一辺を成す添着板部に他辺を成す埋設板部がＵ字状断面の屈曲部を介して連結されると共に前記屈曲部の開放側が前記埋設板部から延長された閉塞板部によって閉塞されて成り、既設コンクリート構造物の打ち継ぎ端面に前記添着板部が押さえ板部材によって押圧装着され、既設コンクリート構造物に新設コンクリート構造物を打継ぐ際に両者間に介設される止水板において、コンクリート構造物の外周壁と内部を仕切る仕切壁とが交差するＴ字状部位の構造であって、
添着板部を内周側に向けて前記コンクリート構造物の外周壁に配設される外周辺止水板に、前記仕切壁に配設される仕切辺止水板がＴ字状に交差結合し、前記仕切辺止水板にはその屈曲部の背面側にも添着板部が延設されて左右両側に前記外周辺止水板の添着板部と連続する添着板部を備えて構成されていることを特徴とするコンクリート構造物のＴ字状部打継用止水板構造。
【請求項３】
少なくとも上記外周辺止水板に仕切辺止水板が交差する結合部の近傍において、上記仕切辺止水板の屈曲部は嵩上げ板部を介して上記添着板部から所定高さに離間し、上記両側の添着板部を押圧する押さえ板部材が前記嵩上げ板部を挟んで隣接して位置し得るように構成されていることを特徴とする請求項２に記載のコンクリート構造物のＴ字状部打継用止水板構造。
【請求項４】
Ｌ字状断面の一辺を成す添着板部に他辺を成す埋設板部がＵ字状断面の屈曲部を介して連結されると共に前記屈曲部の開放側が前記埋設板部から延長された閉塞板部によって閉塞されて成り、既設コンクリート構造物の打ち継ぎ端面に前記添着板部が押さえ板部材によって押圧装着され、既設コンクリート構造物に新設コンクリート構造物を打継ぐ際に両者間に介設される止水板において、コンクリート構造物の外周壁と内部を仕切る仕切壁とが交差するＴ字状部位の構造であって、
添着板部を内周側に向けて前記コンクリート構造物の外周壁に配設される外周辺止水板に、前記仕切壁に配設される仕切辺止水板がＴ字状に交差結合し、前記仕切辺止水板を挟む両側の前記外周辺止水板の添着板部に、押圧板が前記仕切辺止水板を貫いて内挿されており、該押圧板の内挿部位の下面が前記仕切辺止水板を挟んで位置する両側の押さえ板部材の押圧力によって前記押圧板を介して前記既設コンクリート構造物の打ち継ぎ端面に押圧されるように構成されていることを特徴とするコンクリート構造物のＴ字状部打継用止水板構造。
【発明の詳細な説明】
【技術分野】
【０００１】
本発明は、既設コンクリート構造物に新設コンクリート構造物を打継ぐ際に両者間に介設される止水板に関し、特に、コンクリート構造物の外周壁と内部を仕切る仕切壁とが交差するＴ字状部位における止水板の構造に関する。
【背景技術】
【０００２】
例えば暗渠等のコンクリート構造物の構築は、既設のコンクリート部位に新設部位を打継いで行われる。その際、新旧コンクリート構造物の打継部に両者を連結する帯状の止水板が介設され、この止水版によって打継部を介した浸水や漏水を防止するようになっている。
【０００３】
このような止水板としては、特許文献１に開示のごときものがある。これは、図５（Ａ）に断面斜視図を示すように、Ｌ字状断面の一辺を成す添着板部１０Ａ′と他辺を成す埋設板部１０Ｃ′とがＵ字状断面の屈曲部１０Ｂ′を介して連結されると共に、該屈曲部１０Ｂ′のＵ字状開放側が埋設板部１０Ｃ′から延設された連結部１０Ｄ′によって閉塞されて中空部１０Ｅ′として形成されている。そして、図５（Ｂ）に示すように、その添着板部１０Ａ′が既設コンクリート構造物１′の打ち継ぎ面に碇着ボルト３によって締め付けられた押え板２０′によって押圧されて装着され、既設コンクリート構造物１′の打ち継ぎ面に対して直角な方向に延びる埋設板部１０Ｃ′が新設コンクリート構造物２′に打ち込まれることで、新旧コンクリート構造物１′，２′の間の止水を行うものである。
【特許文献１】特開平１１−１１７３７２号公報
【発明の開示】
【発明が解決しようとする課題】
【０００４】
ところで、図６（Ａ）に打ち継ぎ面を示すように内部空間を仕切る仕切壁１Ｂ′を備えるコンクリート構造物１′の打ち継ぎに上記従来構成の止水板を用いる場合には、一方の内部空間１Ｌ′の周囲を巡るように配設された止水板１０′に対して他方の開口部１Ｒ′の外周壁１１′を巡る止水板１０″の端部を突き合わせるようにして継ぎ合わせたのでは、打ち継ぎ面に押圧することができない領域が生じてそこから漏水する虞があるという問題があった。即ち、図６（Ａ）のＢ部拡大図に相当する図６（Ｂ）に示すように、一方の止水板１０′の屈曲部１０Ｂ′の背面側に他方の止水板１０″の端部を突き合せる構成では、止水板１０″の端部は止水板１０′の打ち継ぎ面に押圧されない屈曲部１０Ｂ′に結合されることとなるため、図中破線で示すようにこの打ち継ぎ面に押圧されない屈曲部１０Ｂ′の下側を通って漏水し得るものである。このような不具合は、図６（Ｅ）に拡大平面図，図６（Ｆ）にそのＦ−Ｆ断面図を示すごとくそれぞれの内部空間１Ｌ′，１Ｒ′の周囲を巡るように止水板１０′，１０″を配設することで解消される。しかし、このような構成では、仕切壁１Ｂ′には二枚の止水板が並列配設されることから広い壁幅が必要であり、壁幅の狭い構造物には適用することができないものであった。尚、図中、図６（Ｃ）は図６（Ｂ）のＣ−Ｃ断面図，図６（Ｄ）は図６（Ｂ）のＤ−Ｄ断面図，図６（Ｆ）は図６（Ｅ）のＦ−Ｆ断面図である。
【０００５】
本発明は、上記問題に鑑みてなされたものであって、外周壁に配設された止水板と仕切壁に配設された止水板の交差部位において、仕切壁に配設される止水板が一枚であっても完全に止水することができ、壁幅の狭い仕切壁のコンクリート構造物にも適用することのできるコンクリート構造物のＴ字状部打継用止水板構造を提供することを目的とする。
【課題を解決するための手段】
【０００６】
上記目的を達成する請求項１に係る発明のコンクリート構造物のＴ字状部打継用止水板構造は、Ｌ字状断面の一辺を成す添着板部に他辺を成す埋設板部がＵ字状断面の屈曲部を介して連結されると共に前記屈曲部の開放側が前記埋設板部から延長された閉塞板部によって閉塞されて成り、既設コンクリート構造物の打ち継ぎ端面に前記添着板部が押さえ板部材によって押圧装着され、既設コンクリート構造物に新設コンクリート構造物を打継ぐ際に両者間に介設される止水板において、コンクリート構造物の外周壁と内部を仕切る仕切壁とが交差するＴ字状部位の構造であって、添着板部を外周側に向けて前記コンクリート構造物の外周壁に配設される外周辺止水板に、前記仕切壁に配設される仕切辺止水板がＴ字状に交差結合し、少なくともその結合部の近傍では前記屈曲部が前記添着板部から嵩上げ板部を介して前記添着板部から所定高さに離間して前記仕切辺止水板の添着板部が前記外周辺止水板の嵩上げ板部に結合しており、前記外周辺止水板の添着板部を押圧する押さえ板部材と前記仕切辺止水板の添着板部を押圧する押さえ板部材が前記外周辺止水板の嵩上げ板部を挟んで隣接して位置し得るように構成されていることを特徴とする。
【０００７】
この構成では、結合部の近傍では屈曲部が嵩上げ板部を介して添着板部から離間して仕切辺止水板の添着板部は外周辺止水板の嵩上げ板部に結合しているため、仕切辺止水板の添着板部を押圧する押さえ板部材は外周辺止水板の添着板部を押圧する押さえ板部材と嵩上げ板部を挟んで隣接して位置し、これによって外周辺止水板と仕切辺止水板はその添着板部が隈無く打ち継ぎ面に押圧されて装着される。
【０００８】
また、請求項２に係る発明のコンクリート構造物のＴ字状部打継用止水板構造は、Ｌ字状断面の一辺を成す添着板部に他辺を成す埋設板部がＵ字状断面の屈曲部を介して連結されると共に前記屈曲部の開放側が前記埋設板部から延長された閉塞板部によって閉塞されて成り、既設コンクリート構造物の打ち継ぎ端面に前記添着板部が押さえ板部材によって押圧装着され、既設コンクリート構造物に新設コンクリート構造物を打継ぐ際に両者間に介設される止水板において、コンクリート構造物の外周壁と内部を仕切る仕切壁とが交差するＴ字状部位の構造であって、添着板部を内周側に向けて前記コンクリート構造物の外周壁に配設される外周辺止水板に、前記仕切壁に配設される仕切辺止水板がＴ字状に交差結合し、前記仕切辺止水板にはその屈曲部の背面側にも添着板部が延設されて左右両側に前記外周辺止水板の添着板部と連続する添着板部を備えて構成されていることを特徴とする。
【０００９】
この構成では、外周辺止水板と仕切辺止水板の添着板部は、仕切壁によって仕切られる内部空間の角部においてそれぞれ連続しているため、外周辺止水板と仕切辺止水板はこの連続する添着板部が押さえ板部材によって隈無く打ち継ぎ面に押圧されて装着される。
【００１０】
更に、請求項３に係る発明のコンクリート構造物のＴ字状部打継用止水板構造は、少なくとも上記外周辺止水板に仕切辺止水板が交差する結合部の近傍において、上記仕切辺止水板の屈曲部は嵩上げ板部を介して上記添着板部から所定高さに離間し、上記両側の添着板部を押圧する押さえ板部材が前記嵩上げ板部を挟んで隣接して位置し得るように構成されていることを特徴とする。
【００１１】
この構成では、結合部の近傍では仕切辺止水板の背面側の添着板部は屈曲部の下側を潜って嵩上げ板部に結合しているため、当該背面側の添着板部を押圧する押さえ板部材は、屈曲部の正面側の添着板部を押圧する押さえ板部材と嵩上げ板部を挟んで隣接して位置する。これにより、外周辺止水板と仕切辺止水板はその添着板部が隈無く打ち継ぎ面に押圧されて装着される。
【００１２】
また、請求項４に係る発明のコンクリート構造物のＴ字状部打継用止水板構造は、Ｌ字状断面の一辺を成す添着板部に他辺を成す埋設板部がＵ字状断面の屈曲部を介して連結されると共に前記屈曲部の開放側が前記埋設板部から延長された閉塞板部によって閉塞されて成り、既設コンクリート構造物の打ち継ぎ端面に前記添着板部が押さえ板部材によって押圧装着され、既設コンクリート構造物に新設コンクリート構造物を打継ぐ際に両者間に介設される止水板において、コンクリート構造物の外周壁と内部を仕切る仕切壁とが交差するＴ字状部位の構造であって、添着板部を内周側に向けて前記コンクリート構造物の外周壁に配設される外周辺止水板に、前記仕切壁に配設される仕切辺止水板がＴ字状に交差結合し、前記仕切辺止水板を挟む両側の前記外周辺止水板の添着板部に、押圧板が前記仕切辺止水板を貫いて内挿されており、該押圧板の内挿部位の下面が前記仕切辺止水板を挟んで位置する両側の押さえ板部材の押圧力によって前記押圧板を介して前記既設コンクリート構造物の打ち継ぎ端面に押圧されるように構成されていることを特徴とする。
【００１３】
この構成では、仕切辺止水板の外周辺止水板との結合部位は、仕切辺止水板を挟んで両側に位置する外周辺止水板の添着板部を押圧する押さえ板部材によって内挿された押圧板が押圧され、これによって当該部位が打ち継ぎ面に密着し、外周辺止水板と仕切辺止水板はその添着板部が隈無く打ち継ぎ面に押圧されて装着される。
【発明の効果】
【００１４】
請求項１に係る発明のコンクリート構造物のＴ字状部打継用止水板構造によれば、外周辺止水板と仕切辺止水板の結合部位において、仕切辺止水板の添着板部を押圧する押さえ板部材を外周辺止水板の屈曲部の下側に入り込ませて装着することができ、これによって外周辺止水板の添着板部を押圧する押さえ板部材と嵩上げ板部を挟んで隣接して位置させることができる。このため、外周辺止水板及び仕切辺止水板の添着板部を押さえ板部材によって隙間なく押圧することができ、仕切辺止水板を挟む両側と外周辺止水板を挟む内外を完全に止水することができる。仕切壁に配設される止水板は一枚であり、壁幅の狭い仕切壁のコンクリート構造物にも適用することができる。
【００１５】
また、請求項２に係る発明のコンクリート構造物のＴ字状部打継用止水板構造によれば、外周辺止水板と仕切辺止水板の結合部位において、コンクリート構造物の仕切壁によって仕切られる両側の内部空間のそれぞれ角部に沿って添着板部が連続して巡り、この添着板部を押さえ板部材で連続して押圧して装着することができ、仕切辺止水板を挟む両側と外周辺止水板を挟む内外を完全に止水することができるものである。仕切壁に配設される止水板は一枚であり、壁幅の狭い仕切壁のコンクリート構造物にも適用することができる。
【００１６】
また、請求項３に係る発明のコンクリート構造物のＴ字状部打継用止水板構造によれば、仕切辺止水板の屈曲部の背面側の添着板部を押圧する押さえ板部材を屈曲部の下側に入り込ませて装着することができ、これによって他方の添着板部を押圧する押さえ板部材と嵩上げ板部を挟んで隣接して位置させることができる。このため、仕切辺止水板の屈曲部の背面側の添着板部を押圧する押さえ板部材は外周辺止水板との結合部近傍のみの配設によって仕切辺止水板を挟む両側の内部空間の間を完全に止水することが可能となり、仕切辺止水板の全長に亘って配設する必要がない。
【００１７】
更に、請求項４に係る発明のコンクリート構造物のＴ字状部打継用止水板構造によれば、仕切辺止水板を挟んで両側に位置する外周辺止水板の添着板部を押圧する押さえ板部材によって、押圧板を介して仕切辺止水板の屈曲部の下面を打ち継ぎ面に押圧して装着することができ、仕切辺止水板を挟む両側と外周辺止水板を挟む内外を完全に止水することができる。仕切壁に配設される止水板は一枚であり、壁幅の狭い仕切壁のコンクリート構造物にも適用することができる。
【発明を実施するための最良の形態】
【００１８】
以下、添付図面を参照して本発明を実施するための最良の形態について説明する。
【００１９】
図１（Ａ）は本発明の請求項１に係るコンクリート構造物のＴ字状部打継用止水板構造の一構成例を適用したＴ字状部止水板継手１０の斜視図，図１（Ｂ）はそのＢ矢視図，図１（Ｃ）は図１（Ａ）のＣ矢視図，図１（Ｄ）は図１（Ａ）のＤ−Ｄ断面図，図１（Ｅ）は図１（Ａ）のＥ−Ｅ断面図，図１（Ｆ）はＴ字状部止水板継手１０がコンクリート構造物１の外周壁１１と仕切壁１２のＴ字状交差部に装着された状態の拡大正面図である。尚、当該Ｔ字状部止水板継手１０は、外周壁１１と仕切壁１２の交差角部に装着された後、その端部に外周壁１１又は仕切壁１２に装着される直線状の止水板が溶着接合されてこれと一体に連続するものである。
【００２０】
図示Ｔ字状部止水板継手１０は、既設コンクリート構造物１の外周壁１Ａの打ち継ぎ面にその添着板部１０Ａを外側として装着される所定長さの外周辺止水板１１の長手方向中央に、既設コンクリート構造物１の仕切壁１Ｂの打ち継ぎ面に装着される所定長さの仕切辺止水板１２が直角に交差結合して一体に形成されている。仕切辺止水板１２は外周辺止水板１１の背面側（反添着板部１０Ａ側：後述する屈曲部１０Ｂの背面）に結合している。
【００２１】
外周辺止水板１１及び仕切辺止水板１２の端部は、外周壁１Ａ及び仕切壁１Ｂに装着される通常の止水板と同様の断面形状となっている。即ち、図１（Ｄ）に示すごとく、既設コンクリート構造物１の打ち継ぎ面に添着される添着板部１０Ａと、Ｕ字状断面の屈曲部１０Ｂと、新設コンクリート構造物に埋設される埋設板部１０Ｃと、連結部１０Ｄを備えて形成されている。
【００２２】
添着板部１０Ａは屈曲部１０ＢのＵ字形の直線状の一辺が延長され、埋設板部１０ＣはＵ字形の他辺の端部から直角に添着板部１０Ａとは逆側に一体的に延設されている。連結部１０Ｄは、薄肉の板状で埋設板部１０Ｃを添着板部１０Ａに向けて延長したように屈曲部１０Ｂの開放端を閉塞している。これにより、連結部１０Ｄと埋設板部１０Ｃは断面において略直線状に一体的に形成されており、したがって、添着板部１０Ａと連結部１０Ｄ及び埋設板部１０Ｃは全体として略Ｌ字形の断面形状を呈している。また屈曲部１０Ｂと連結部１０Ｄにより中空部１０Ｅが形成されている。
【００２３】
添着板部１０Ａには、アンカー挿通孔１０Ａaが長手方向に適宜の間隔をおいて穿設されており、既設コンクリート構造物１の打ち継ぎ面に植設されたアンカーボルトがこのアンカー挿通孔１０Ａaに挿通され、更に、このアンカーボルトに押さえ板部材としての押さえ板２０を介してナットが螺合し、これによって当該添着板部１０Ａが（即ち当該Ｔ字状部止水板継手１０が）既設コンクリート構造物１に固定されるようになっているものである。
【００２４】
埋設板部１０Ｃには、その両面に水膨張ゴムから成る抜け止め用突条１０Ｃaがそれぞれ二条形成されている。
【００２５】
ここで、外周辺止水板１１と仕切辺止水板１２の交差部位では、断面図である図１（Ｅ）に示すように外周辺止水板１１及び仕切辺止水板１２のそれぞれの屈曲部１０Ｂが添着板部１０Ａから離間して埋設板部１０Ｃを含めて背が高く形成され、その添着板部１０Ａと屈曲部１０Ｂの間は嵩上げ板部１０Ｆによって連続し、仕切辺止水板１２の添着板部１０Ａは外周辺止水板１１の屈曲部１０Ｂの下側を通って外周辺止水板１１の嵩上げ板部１０Ｆに結合している。嵩上げ板部１０Ｆは、埋設板部１０Ｃと同等の位置及厚さに形成されている。屈曲部１０Ｂの添着板部１０Ａからの離間量は、各辺１１，１２の外端側から結合部に向かって所定の勾配で徐々に大きくなり、外周辺止水板１１の屈曲部１０Ｂの下面と仕切辺止水板１２の添着板部１０Ａの上面との間に押さえ板２０を介装し得るようになっている。
【００２６】
そして、このようなＴ字状部止水板継手１０は、図１（Ｆ）に示すように、外周辺止水板１１及び仕切辺止水板１２の添着板部１０Ａが図中想像線で示す押さえ板２０（２１，２２）によって既設コンクリート構造物１の打ち継ぎ面に押圧されて装着される。
【００２７】
ここで、仕切辺止水板１２の添着板部１０Ａと外周辺止水板１１の嵩上げ板部１０Ｆとの結合部位では、仕切辺止水板１２の添着板部１０Ａを押圧する押さえ板２１はその端縁を嵩上げ板部１０Ｆに隣接させて配設される。また、この押さえ板２１と外周辺止水板１１の嵩上げ板部１０Ｆを挟んだ位置に配設される外周辺止水板１１の添着板部１０Ａを押圧する押さえ板２２には、押さえ板２１と対応する凸部２２Ａが形成されており、押さえ板２２はこの凸部２２Ａの前端縁を嵩上げ板部１０Ｆに隣接させて配設される。
【００２８】
このようなＴ字状部止水板継手１０によるコンクリート構造物のＴ字状部打継用止水板構造によれば、外周辺止水板１１の添着板部１０Ａを押圧する押さえ板２０（２２）と、仕切辺止水板１２の添着板部１０Ａを押圧する押さえ板２０（２１）は、外周辺止水板１１の嵩上げ板部１０Ｆを挟む極狭い隙間でほぼ連続して配設されることとなる。従って、コンクリート構造物１の仕切壁１Ｂを挟む両側の内部空間１Ｌ，１Ｒの間、及びこれら内部空間１Ｌ，１Ｒと外周壁１Ａを挟む外部との間を隈無く連続して押圧して止水板（Ｔ字状部止水板継手１０）を装着することができ、内部空間１Ｌ，１Ｒの間及びこれら内部空間１Ｌ，１Ｒと外部との間を隙間無く止水することができる。仕切壁１Ｂに配設される止水板は一条のみで良く、壁幅の狭い仕切壁１Ｂにも装着し得る。
【００２９】
次に、図２に示す本発明の請求項２に係るコンクリート構造物のＴ字状部打継用止水板構造の構成例を説明する。図２（Ａ）は当該Ｔ字状部打継用止水板構造の一構成例であるＴ字状交差部の拡大正面図，図２（Ｂ）は図２（Ａ）のＢ−Ｂ矢視に相当する止水板の断面図，図２（Ｃ）は図２（Ａ）のＣ−Ｃ矢視に相当する止水板の断面図である。尚、止水板の基本的な断面形状は前述の構成例と同様であり、同様の部位には共通の符号を附して説明を省略する。
【００３０】
図示構成例は、外周壁１Ａに装着される外周辺止水板１１はその添着板部１０Ａを内周側に向けて配設され、この外周辺止水板１１の埋設板部１０Ｃに仕切辺止水板１２の埋設板部１０Ｃが直角に結合している。
【００３１】
仕切辺止水板１２は、その断面図である図２（Ｂ）に示すように、屈曲部１０Ｂの正面側（Ｕ字状の開放側）のみならずその背面側にも添着板部１０Ａ（背面側添着板部１０ＡＢ）が形成されており、その両添着板部１０Ａが各々外周辺止水板１１の添着板部１０Ａに連続するように結合している。
【００３２】
そして、図２（Ａ）に示すように、外周辺止水板１１及び仕切辺止水板１２は、それぞれ添着板部１０Ａが図中想像線で示す押さえ板２０によって既設コンクリート構造物１の打ち継ぎ面に押圧されて装着される。
【００３３】
このような止水板構造では、添着板部１０Ａは、コンクリート構造物１の仕切壁１Ｂによって仕切られた内部空間の周囲をそれぞれ巡って連続し、この連続する添着板部１０Ａを押さえ板２０で隙間なく押圧することができ、内部空間の間及びこれら内部空間と外部との間を隙間無く止水することができる。仕切壁１Ｂに配設される止水板は一条であり、壁幅の狭い仕切壁１Ｂにも装着し得る。
【００３４】
図３は、本発明の請求項３に係るコンクリート構造物のＴ字状部打継用止水板構造の構成例である。図３（Ａ）は当該Ｔ字状部打継用止水板構造の一構成例であるＴ字状交差部の拡大正面，図３（Ｂ）は図３（Ａ）のＢ矢視図，図３（Ｃ）は図３（Ａ）のＣ−Ｃ矢視に相当する止水板の断面図，図３（Ｄ）は図３（Ａ）のＤ−Ｄ矢視に相当する止水板の断面図である。
【００３５】
この構成例は、添着板部１０Ａを内周側とした外周辺止水板１１に仕切辺止水板１２が直角に結合しており、その仕切辺止水板１２は、前述の図２に示す構成例と同様に屈曲部１０Ｂの両側に添着板部１０Ａ，１０ＡＢを備えると共に、仕切辺止水板１２の屈曲部１０Ｂが図１の構成例と同様に嵩上げ板部１０Ｆを介して添着板部１０Ａ，１０ＡＢから離間している。屈曲部１０Ｂの添着板部１０Ａ，１０ＡＢからの離間量は、屈曲部１０Ｂの下面と添着板部１０ＡＢの間に押さえ板２０（２４）を介装し得るように設定されている。
【００３６】
一方、仕切辺止水板１２が結合する外周辺止水板１１の部位は、結合部位を中心とする所定範囲で仕切辺止水板１２と同様に屈曲部１０Ｂが嵩上げ板部１０Ｆを介して添着板部１０Ａから離間している。
【００３７】
そして、図３（Ａ）に示すように、外周辺止水板１１及び仕切辺止水板１２は、その添着板部１０Ａが図中想像線で示す押さえ板２０（２３，２４）によって既設コンクリート構造物１の打ち継ぎ面に押圧され、また、仕切辺止水板１２が外周辺止水板１１に結合する部位の背面側添着板部１０ＡＢが押さえ板２３によって既設コンクリート構造物１の打ち継ぎ面に押圧されて装着される。
【００３８】
このような止水板構造では、仕切辺止水板１２の添着板部１０Ａを押圧する押さえ板２３と、その背面側の背面側添着板部１０ＡＢを押圧する押さえ板２４とが、仕切辺止水板１２の嵩上げ板部１０Ｆを挟んで狭い間隔で隣接して配設されると共に、これら押さえ板２３，２４と外周辺止水板１１の添着板部１０Ａを押圧する押さえ板２０と連続して配設されるため、コンクリート構造物１の仕切壁１Ｂを挟んで両側に位置する内部空間の間、及びこれら内部空間と外周壁１Ａを挟む外部との間を隙間無く止水することができるものである。仕切壁１Ｂに配設される止水板は一条であり、壁幅の狭い仕切壁１Ｂにも装着し得る。尚、図３（Ａ）では、仕切辺止水板１２の背面側添着板部１０ＡＢは外周辺止水板１１との結合部以外にも連続しているが、図中押さえ板２３によって押圧されている部位以外は省略しても良く、その場合、仕切辺止水板１２の断面は屈曲部１０Ｂの下辺が添着板部１０Ａと連続する図３（Ｄ）に示すごとき通常の形状とすることができる。
【００３９】
図４は、本発明の請求項４に係るコンクリート構造物のＴ字状部打継用止水板構造の構成例である。図４（Ａ）は当該Ｔ字状部打継用止水板構造の一構成例であるＴ字状交差部の拡大正面図，図４（Ｂ）は図４（Ａ）のＢ−Ｂ矢視に相当する止水板の断面図，図４（Ｃ）は図４（Ａ）のＣ−Ｃ矢視に相当する止水板の断面図である。
【００４０】
この構成例は、添着板部１０Ａを内周側とした外周辺止水板１１に仕切辺止水板１２が直角に結合している。外周辺止水板１１の添着板部１０Ａは、仕切辺止水板１２の添着板部１０Ａの形成側ではその添着板部１０Ａに連続し、他方の側では屈曲部１０Ｂの背面側に結合している。その仕切辺止水板１２が結合する部位の添着板部１０Ａ及び屈曲部１０Ｂの下辺の内部に、仕切辺止水板１２を挟む両側の外周辺止水板１１の添着板部１０Ａに亘って押圧板１３が内挿されている。押圧板１３の両端は、それぞれ添着板部１０Ａを押圧する押さえ板２０と重合する位置まで延設されている。
【００４１】
そして、外周辺止水板１１及び仕切辺止水板１２は、図４（Ａ）に示すように、その添着板部１０Ａが図示しない押さえ板によって既設コンクリート構造物１の打ち継ぎ面に押圧されて装着される。
【００４２】
このような止水板構造では、押さえ板によって内挿された押圧板１３が押圧され、その配設部位（即ち外周辺止水板１１との結合部位における仕切辺止水板１２の屈曲部１０Ｂ）を既設コンクリート構造物１の打ち継ぎ面に押圧することとなる。その結果、押圧領域は外周壁１Ａと仕切壁１Ｂに沿って連続し、従って、コンクリート構造物１の仕切壁１Ｂを挟んで両側に位置する内部空間の間、及びこれら内部空間と外周壁１Ａを挟む外部との間を隙間無く止水することができる。仕切壁１Ｂに配設される止水板は一条であり、壁幅の狭い仕切壁１Ｂにも装着し得る。
【００４３】
尚、各請求項に係る発明は、上記それぞれの構成例に限定されるものではなく、その発明の範囲内において適宜変更可能なものである。
【図面の簡単な説明】
【００４４】
【図１】本発明の請求項１に係るコンクリート構造物のＴ字状部打継用止水板構造の一構成例を適用したＴ字状部止水板継手を示す図である。
【図２】本発明の請求項２に係るコンクリート構造物のＴ字状部打継用止水板構造の一構成例の説明図である。
【図３】本発明の請求項３に係るコンクリート構造物のＴ字状部打継用止水板構造の一構成例の説明図である。
【図４】本発明の請求項４に係るコンクリート構造物のＴ字状部打継用止水板構造の一構成例の説明図である。
【図５】従来例としての止水板の説明図である。
【図６】従来例としてのＴ字状部への装着状態の説明図である。
【符号の説明】
【００４５】
１  既設コンクリート構造物（コンクリート構造物）
１Ａ  外周壁
１Ｂ  仕切壁
１Ｌ，１Ｒ  内部空間
１０  Ｔ字状部止水板継手
１０Ａ  添着板部
１０ＡＢ  背面側添着板部
１０Ｂ  屈曲部
１０Ｃ  埋設板部
１０Ｄ  連結部
１０Ｅ  中空部
１０Ｆ  嵩上げ板部
１１  外周辺止水板
１２  仕切辺止水板
１３  押圧板
２０（２１，２２，２３，２４）  押さえ板（押さえ板部材）
【図１−１】
2005120666.tif 000003
【図１−２】
2005120666.tif 000004
【図２】
2005120666.tif 000005
【図３−１】
2005120666.tif 000006
【図３−２】
2005120666.tif 000007
【図４】
2005120666.tif 000008
【図５】
2005120666.tif 000009
【図６−１】
2005120666.tif 000010
【図６−２】
2005120666.tif 000011